(57)【要約】【課題】布製幕体上にスラットとの接合の痕跡が無く、美観効果を高め、容易に分解組立可能な布製幕体を提供する。【解決手段】布製幕体を有するカーテン１００は、１個の収納部品１１、収納部品１１の下方に位置する１個のボトムレール１２、収納部品１１とボトムレール１２の間に並列される多数個のスラット１４、所定の間隔で収納部品１１、ボトムレール１２および各スラット１４の同一側辺にそれぞれ連結される２本の位置決めコード１３、収納部品１１、ボトムレール１２および各スラット１４の別の１側辺に連結される連結部品１５より構成される。各スラット１４を各位置決めコード１３および連結部品１５と連結させ、収納部品１１とボトムレール１２の間に位置する１個の連結部品１５、各スラット１４と同等の幅で、収納部品１１およびボトムレール１２に連結され、各スラット１４の外側に位置する。【選択図】    図１
2004183464.tif 000002
【特許請求の範囲】
【請求項１】
１個の収納部品と、
該収納部品の下方に位置する１個のボトムレールと、
該収納部品と該ボトムレールとの間に並列される多数個のスラットと、
所定の間隔で該収納部品、ボトムレールおよび各スラットの同一側辺にそれぞれ連結される２本の位置決めコードと、
該収納部品、ボトムレールおよび各スラットの別の１側辺に連結される連結部品であって、各スラットを各位置決めコードおよび該連結部品と連結させ、該収納部品と該ボトムレールとの間に位置する１個の連結部品と、
各スラットと同等の幅で、該収納部品および該ボトムレールに連結され、該スラットの外側に位置する少なくとも１個の布製幕体と、を備えることを特徴とする布製幕体を有するカーテン。
【請求項２】
該収納部品は１個の巻取りドラムであって、回転により該位置決めコードを巻収することを特徴とする請求項１記載の布製幕体を有するカーテン。
【請求項３】
各位置決めコード上には各スラットの数量と等しい接合部品が形成され、該接合部品は該位置決めコード上で一体に結んで形成されたコードの輪であり、各スラットは１個の細長い布片および１個の支持棒を有し、該布片の該２本の位置決めコードと同じ側の長側縁には１個の袋孔が形成され、また該袋孔上には該位置決めコードの位置と対応する接合口が形成され、該支持棒は該袋孔中を穿通し、また該接合部品は該接合口中に位置し、該支持棒により穿通されることを特徴とする請求項１記載の布製幕体を有するカーテン。
【請求項４】
各位置決めコード上には各スラットの数量と等しい接合部品が形成され、該接合部品は１個のＣ形止め輪であり、各スラットは１個の細長い布片および１個の支持棒を有し、該布片の該位置決めコードと同じ側の長側縁上には１個の袋孔が形成され、また該袋孔上には該位置決めコードの位置と対応する接合口が形成され、該支持棒は該袋孔中を穿通し、また該接合部品は該接合口中に位置し、該支持棒により穿通されることを特徴とする請求項１記載の布製幕体を有するカーテン。
【請求項５】
該連結部品は２本の位置決めコードであり、所定の間隔で各スラットの別の側辺にそれぞれ連結されることを特徴とする請求項１記載の布製幕体を有するカーテン。
【請求項６】
該布製幕体は面ファスナーを用いた方式によって該収納部品および該ボトムレールに接合されることを特徴とする請求項１記載の布製幕体を有するカーテン。
【請求項７】
該布製幕体は挟合方式によって該収納部品および該ボトムレールに接合されることを特徴とする請求項１記載の布製幕体を有するカーテン。
【請求項８】
該布製幕体は該２本の位置決めコードの外側に位置することを特徴とする請求項１記載の布製幕体を有するカーテン。
【発明の詳細な説明】
【０００１】
【発明の属する技術分野】
本発明はカーテンに関し、さらに詳しくは１種の布製幕体を有するカーテンに関する。
【０００２】
【従来の技術】
従来の透光性布製幕体を有するブラインドは、ブラインドロールスクリーンについて言えば、１個の巻取りドラム、該巻取りドラムの下方に位置する１個のボトムレール、上端および底端が該巻取りドラムおよび該ボトムレールの相対する側辺にそれぞれ固設される布製幕体および該巻取りドラムと該ボトムレールの間に並列され、その両側縁が該布製幕体に固設される多数個の不透光性スラットにより構成される。各布製幕体の相対的移動により、該不透光性スラットの角度変化を制御し、布製幕体の間から各スラット間に射し込む光量の大きさを制御することができ、また布製幕体が比較的よい質感を生み出し、消費者に大変好まれている。
【０００３】
しかし、上述の構造は例えば米国特許に示されるようにスラットの材質によって熱圧着、高周波溶着、接着あるいは縫製などの異なる方法で各スラットを該布製幕体上に固設する必要があり、これにより各スラットの位置決めをしている（特許文献１、特許文献２参照）。
【０００４】
【特許文献１】
米国特許第５４１９３８５号
【特許文献２】
米国特許第６１６４３６３号
【０００５】
【発明が解決しようとする課題】
しかし各スラットを該布製幕体に固設すると、上述のどの方法を用いても布製幕体上に接合の痕跡がはっきりと見え、本来美観効果を増すための布製幕体が、かえって美観を損ねる部材となってしまう。その上、各スラットと該布製幕体間は分解できず、スラットおよび布製幕体の清掃作業は容易ではなく、使用者にとって不便である。
【０００６】
これに鑑み、本案件の発明者は詳細に思考し、また長年にわたり関連業種の研究開発に従事し、ついに本発明を考案した。
すなわち、本発明の主要な目的は、布製幕体上にスラットとの接合の痕跡が無く、美観効果をいっそう高めた１種の布製幕体を有するカーテンを提供することである。
本発明のもう１つの目的は、スラットと布製幕体が容易に分解組立できる１種の布製幕体を提供することである。
【０００７】
【課題を解決するための手段】
上述の発明目的を達成するために、本発明の請求項に記載の１種の布製幕体を有するカーテンは、以下の内容を含む。１個の収納部品、該収納部品の下方に位置する１個のボトムレール、該収納部品と該ボトムレールの間に並列される多数個のスラット、所定の間隔で該収納部品、ボトムレールおよび各スラットの同一側辺にそれぞれ連結される２本の位置決めコード、該収納部品、ボトムレールおよび各スラットの別の１側辺に連結される連結部品であって、各スラットを各位置決めコードおよび該連結部品と連結させ、該収納部品と該ボトムレールの間に位置する１個の連結部品、各スラットと同等の幅で、該収納部品および該ボトムレールに連結され、各スラットの外側に位置する少なくとも１個の布製幕体。
【０００８】
【発明の実施の形態】
以下、本発明の実施例を図面に基づいて説明する。
図１から図３に示すように本発明の第１の比較的よい実施例が提供する１種の布製幕体を有するカーテン１００は、主として以下の内容を含む。
１個の収納部品１１は、１個の巻取りドラムであり、その軸方向は横向きで窓の上縁に枢設される。
１個のボトムレール１２は、横向きを呈し該収納部品１１の下方に位置する。
【０００９】
２本の位置決めコード１３は、縦向きを呈し、相互間は所定の間隔距離を有し、かつ該２本の位置決めコード１３は、その１端が該収納部品１１中にそれぞれ固設され、別の１端は該ボトムレール１２中にそれぞれ固設される。該２本の位置決めコード１３は所定の間隔の部位上にそれぞれ１個の接合部品１３１を有し、図４に示すように、本実施例中では、各接合部品１３１は各位置決めコード１３の所定の間隔位置上にそれぞれ一体に結ばれたコードの輪である。
【００１０】
多数個のスラット１４は、それぞれ１個の細長い布片１４１および１個の支持棒１４２を有する。該布片１４１は不透明の織布材質で形成され、それぞれ横向きを呈し該収納部品１１と該ボトムレール１２の間に並列され、かつ各布片１４１は１個の長側辺縁上にミシン縫い、接着あるいはその他の方法で１個の袋孔１４３が形成されている。また各布片１４１には該２本の位置決めコード１３間の間隔距離に基づき、各袋孔１４３上の相対位置にそれぞれ１個の接合口１４４が設けられている。各支持棒１４２はそれぞれ外径が該袋孔１４３の孔径より小さく、また所定の剛性の棒体を有し、各支持棒１４２の長さはそれぞれ該袋孔１４３の孔の深さとほぼ同等で、該袋孔１４３中をそれぞれ穿通可能であり、各袋孔１４３中でやや枢転の動作が可能である。これにより、各支持棒１４２を該袋孔１４３中に穿入させる前に、まず各位置決めコード１３の接合部品１３１をそれぞれ対応する接合口１４４中に位置させ、各支持棒１４２をそれぞれ各袋孔１４３および該接合部品１３１中に穿入させ、かつ各支持棒１４２が該接合口１４４中から露出した部分がそれぞれ１個の接合部１４５を形成し、各位置決めコード１３を該接合部品１３１により各支持棒１４２の接合部１４５に枢設する。
【００１１】
１個の連結部品１５は、織布材質で形成された１個の布製幕体であり、その上端は該収納部品１１上に固設され、底端は該ボトムレール１２に固設され、各スラット１４の別の１個の長側辺は該連結部品１５に連結される。これにより各スラット１４はその２側辺上にそれぞれ位置する位置決めコード１３および該連結部品１５によって、該収納部品１１と該ボトムレール１２間に位置決めされる。
【００１２】
１個の布製幕体１６は、透明あるいは半透明の効果を有する織布（Ｆａｂｒｉｃ）で形成される。面積はカーテン開放時の面積とほぼ同等で、幅は各スラット１４の幅とほぼ同等であり、該布製幕体１６の上端縁は面ファスナーで該収納部品１１上に貼設され、その底端縁は面ファスナーで該ボトムレール１２上に貼設される。該位置決めコード１３の外側に位置し、該位置決めコード１３を該布製幕体１６と各スラット１４の間に位置させる。
以上が本発明の第１の比較的よい実施例が提供する布製幕体を有するカーテン１００である。前述の構造によって、美観効果を増すための布製幕体１６は、各スラット１４と連結しない方式で、直接該収納部品１１と該ボトムレール１２間に設置されることにより、該布製幕体１６は各スラット１４といかなる連結関係もない状態の下で、布製幕体１６の平坦状の美観効果を保持する。同時に該布製幕体１６は該収納部品１１と該ボトムレール１２間に面ファスナーで貼設されているので、容易に該布製幕体１６を分解して清掃することが可能で、あるいは、異なる色調または図案の布製幕体を選んで、布製幕体１６を交換することも可能である。また各位置決めコード１３と該スラット１４間は固設の関係ではないので、各スラット１４とその他の部材を容易に分解可能で、清掃作業に便利である。
【００１３】
さらに、各位置決めコード１３上の接合部品１３１間の間隔は、該スラット１４の短側辺の長さとほぼ同等のため、使用者がカーテンの遮光効果を強化させたい時は、該収納部品１１を所定の巻き数だけ回転させた後、各スラット１４を、該連結部品１５との連結箇所を中心として上向きあるいは下向きに（回転方向によって異なる）動かし、スラット１４をもとの水平位置から垂直に近づく位置に変化させる。遮光効果が比較的よい布片１４１により、もともと光源を透過させていたスラットの隙間を遮蔽し、これにより遮光効果の強化を達成する。その他、各位置決めコード１３の接合部品１３１は該支持棒１４２の接合部１４５を相対的に枢転させるため、上述の収納部品１１の回転時に、該位置決めコード１３と該支持棒１４２間がそれぞれ異なる高度位置に位置する時、自動的に最も適切な枢設角度に調整され、位置決めコード１３と該スラット１４間に張力不均等の状況が発生するのを防止する。
【００１４】
次に図４および図５をご参照いただきたい、本発明の第２の比較的よい実施例が提供する１種の布製幕体を有するカーテン２００は、主として１個の収納部品２１、１個のボトムレール２２、２本の位置決めコード２３、多数個のスラット２４、１個の連結部品２５および２個の布製幕体２６を含み、その主要部材の組立方式は概ね上述の実施例と同等であるが、差異は以下の点にある。
各位置決めコード２３の各接合部品２３１はそれぞれ１個のＣ形止め輪であり、該Ｃ形止め輪は所定の剛性および適度な弾性を有する。
該連結部品２５は２本の位置決めコードであり、所定の間隔で各スラット２４上に設置され、該２本の位置決めコード２３とはそれぞれ各スラット２４の相対する長側辺上に位置し、また該２本の位置決めコード２３と同様に接合部品２５１を有する。
【００１５】
各スラット２４の２個の長側辺はそれぞれ１個の袋孔２４３を有し、それぞれ１個の支持棒２４２に穿通され、また各袋孔２４３には各接合部２３１、接合部２５１に対応する位置にそれぞれ接合口２４４が設けられ、各支持棒２４２が該接合口２４４中から露出している部分が１個の接合部２４５を形成している。該２本の位置決めコード２３および該連結部品２５の接合部品２３１、２５１により嵌め付けられ、各スラット２４を連結し位置決めする機能を達成する。
【００１６】
その他、本実施例は２個の布製幕体２６を有し、それぞれ各スラット２４の相対する２個の長側辺の外側に位置し、その上端縁、底端縁は該収納部品１１および該ボトムレール１２にそれぞれ面ファスナーで貼設され、１個の布製幕体２６は各位置決めコード２３の外側に位置し、もう１個の布製幕体２６は該連結部品２５の外側に位置する。これにより該２個の布製幕体２６はカーテン全体の一致性を増し補強効果を生み、窓内、窓外にかかわらず、平坦状の布製幕体２６により極めてよい美観効果が得られる。
【００１７】
上述の各実施例の説明の通り、本発明の布製幕体はスラットと分離しており該収納部品および該ボトムレールと独立して連結しているため、従来の布製幕体とスラットのように結合時に結合の痕跡あるいは影が発生することもなく、これにより布製幕体の布面の平坦状態および美観を保持する。また布製幕体は面ファスナーで貼設されているので、容易に分解でき、清掃作業あるいは布製幕体の交換作業にも便利である。当然説明を加えなければならないのは、該布製幕体の上端、下端の連結方式は面ファスナーの方式に限らず、挟合あるいはその他の容易に分解できる方式を採用してもよい。
【図面の簡単な説明】
【図１】本発明の第１実施例による布製幕体を有するカーテンを示す立体図である。
【図２】本発明の第１実施例による布製幕体を有するカーテンを示す側面図である。
【図３】本発明の第１実施例による布製幕体を有するカーテンを示す局部部材分解図である。
【図４】本発明の第２実施例による布製幕体を有するカーテンを示す実施例の側面図である。
【図５】本発明の第２実施例による布製幕体を有するカーテンを示す局部部材分解図である。
【符号の説明】
１１    収納部品
１２    ボトムレール
１３    位置決めコード
１４    スラット
１５    連結部品
１６    布製幕体
２１    収納部品
２２    ボトムレール
２３    位置決めコード
２４    スラット
２５    連結部品
２６    布製幕体
１００    布製幕体を有するカーテン
１３１    接合部品
１４１    布片
１４２    支持棒
１４３    袋孔
１４４    接合口
１４５    接合部
２００    布製幕体を有するカーテン
２３１    接合部品
２４２    支持棒
２４３    袋孔
２４４    接合口
２４５    接合部
２５１    接合部品
【図１】
2004183464.tif 000003
【図２】
2004183464.tif 000004
【図３】
2004183464.tif 000005
【図４】
2004183464.tif 000006
【図５】
2004183464.tif 000007